Podtech/llm-jp-corpus-v4-ja_patent huggingface dataset:
(57)【要約】【課題】テレビ等の受像機電源コードと家庭の電源コンセント間に挿入し、受像機への電源の供給を遮断または接続する受像機視聴制限装置を提供する。【解決手段】受像機電源コードと電源コンセント間に錠の操作により受像機への電源を供給および遮断、タイマーによる電源供給時間の設定ができる回路を設ける。また、錠の操作と連動し電源供給時には受像機電源プラグを取り外しできる開閉可能な開放状態となり、電源遮断時には受像機電源プラグを取り外し不可の閉鎖状態となる蓋を設け、受像機視聴の制限を可能とする。【選択図】    図１
2006352813.tif 000002
【特許請求の範囲】
【請求項１】
容器（１）内に受像機の電源プラグ用コンセント（５）及び上記コンセントに直列に接続された電源スイッチ（６）を設けると共に上記コンセント及び電源スイッチに至る電源コード（４）を上記容器より小孔（１２）を通して外部に延伸させ、
上記容器に開閉可能な蓋（７）を設けて、この蓋と上記本体との間に受像機用電源コード（１０）が通過できる小孔（１３）を形成し、上記蓋と上記容器本体との間に上記蓋を閉鎖状態に保つ錠（２）を設けたことを特徴とする受像機視聴制限装置
【請求項２】
請求項１において、上記錠はその旋錠時に上記電源スイッチを開路する連動部材（１６）が設けられていることを特徴とする受像機視聴制限装置
【請求項３】
請求項１において、上記容器の開閉可能な蓋の内部に設け、上記蓋の閉錠状態時に、設定変更不可である上記コンセントと直列に接続された電源コード間にタイマー（９）を設けたことを特徴とする受像機視聴制限装置
【発明の詳細な説明】
【技術分野】
【０００１】現在、若年層や小学生等の日常生活でテレビ受像機の見すぎにより、学習時間の減少や視力の低下が問題となっている。
この考案は受像機への電源供給を遮断／接続し、視聴を制限する受像機視聴制限装置に関するものである。
【背景技術】
【０００２】従来、受像機の視聴を制限するには受像機とアンテナを接続するアンテナ配線の間に直列に挿入され、受像機アンテナ信号を遮断及び通過させる装置または受像機の電源ケーブルとコンセントの配線の間に直列に挿入され、受像機の電源を単純に遮断／通過させる装置があった。
【発明の開示】
【発明が解決しようとする課題】
【０００３】これらの方法には次のような欠点があった。
（イ）受像機アンテナ信号を遮断／通過する装置は、アンテナから受像機までのケーブルの途中に制御回路を挿入するため、雑音の発生および装置構造が複雑となる。
（ロ）受像機の電源を単純に遮断／通過させる装置は、その装置を除去し、受像機の電源プラグを直接に家庭のコンセントに接続することにより、簡単に視聴制限を解除することができる。
【課題を解決しようとするための手段】
【０００４】いまその解決手段を図面により説明すれば
図１において、受像機用電源コード（１０）は錠（２）により閉鎖状態と開放状態になる蓋（７）付きの容器（１）に設けられたコンセント（５）に接続する。  また錠に連動部材（１６）を設け、電源スイッチ（６）を開閉する構造とする。
【発明の効果】
【０００５】本装置はテレビ等の受像機用電源コードと家庭の電源コンセントの間に接続することにより、保護者が保有する「鍵」で受像機の電源（ＡＣ１００Ｖ）を遮断又は通過して、子供の受像機視聴時間を制限可能とする。
また、保護者の外出等で子供の監視ができない場合も「鍵」により、本装置のコンセントを覆う蓋を閉鎖状態とし、受像機電源コードを本装置からはずし、他のコンセントに接続して受像機を視聴可能な状態にする行為を防止し、受像機視聴不可の状態を確保できる。
【発明を実施するための最良の形態】
【０００６】図２に本考案の実施例（斜視図）、図３に実施例（回路図）を示す。
図４は本考案の実施例で蓋が閉鎖した状態を示し、図５は蓋が開放した状態を示す。
（イ）上記、受像機用電源コードは、本考案の実施例（蓋開閉機構）において上記  錠  の操作により、上記  蓋が開放状態の時、上記コンセントから脱着が可能であり、蓋が閉鎖状態の時、コンセンタから脱着が不可となる小孔（１３）を通して上記コンセントに接続される。
（ロ）上記電源スイッチは上記  錠の操作により、上記蓋が開放状態の時は閉路され、また上記  蓋が閉鎖状態の時は開路される。
上記（イ）（ロ）により、受像機視聴許可時は、錠の操作により受像機へ電源が供給される。  この時  上記蓋は開放状態である。  受像機視聴抑止時は、錠の操作により受像機への電源は遮断される。  この時、上記蓋は閉鎖状態となっているので、上記コンセントから受像機用電源コードをはずし、他のコンセントへ接続することができなくなるので受像機視聴抑止状態を保持することが可能となる。
以上の構成からなる受像機視聴制限装置である。
【図面の簡単な説明】
【０００７】
【図１】  本考案のシステム図
【図２】  本考案の実施例を示す斜視図
【図３】  本考案の実施例を示す回路図
【図４】  本考案の実施例を示す蓋の開閉機構（閉鎖状態）
【図５】  本考案の実施例を示す蓋の開閉機構（開放状態）
【符号の説明】
【０００８】１  容器
２  錠
３  メインスイッチ
４  電源コード
５  コンセント
６  電源スイッチ
７  蓋
８  爪
９  タイマー
１０  受像機用電源コード
１１  受像機
１２  小孔
１３  小孔
１４  鍵
１５  ヒューズ
１６  連動部材
１７  出力ランプ
１８  通電ランプ
１９  家庭のコンセント
【図１】
2006352813.tif 000003
【図２】
2006352813.tif 000004
【図３】
2006352813.tif 000005
【図４】
2006352813.tif 000006
【図５】
2006352813.tif 000007
(57)【要約】      （修正有）【課題】  従来のＬＥＤチップは放熱状態が良くないため、多くの電流を流すとＬＥＤチップの温度が上昇し破壊に至る、又温度上昇に伴い発光効率が下がるため高輝度を得られない。直列接続で大電流を流し放熱板を必要とする場合、各々を絶縁しなければならない。さらにシリコンやエポキシ樹脂は透湿性が有るため、直接屋外で使用した場合寿命が短くなる。シリコンやエポキシ樹脂は融点が２６０℃以下のため半田付けの管理が厳しい。【解決手段】  高輝度のＬＥＤチップを得るため、反射効率の良いケースを設け電極の下に熱伝導の良い絶縁層を設け、さらに放熱板を設けた器にＬＥＤベアチップを取付け、これに融点３００℃以上の低融点ガラスを充填する。【選択図】  図５
2006352052.tif 000002
【特許請求の範囲】
【請求項１】
本文記載のように反射効率の良いケースに、電極を設けさらに放熱板及び熱伝導率の良い絶縁層を設けた器にＬＥＤベアチップを取付け、この上に低融点ガラスを充填し、白色にするため蛍光発色剤層を設けたＬＥＤチップ
【発明の詳細な説明】
【技術分野】
【０００１】  屋外向け及び高輝度を有する発光ダイオード（ＬＥＤ）
【背景技術】
【０００２】  図１及び図２の様に従来のＬＥＤはアルミナセラミックケースにシリコン又はエポキシ樹脂を充填したもの及びリードフレームがエポキシ樹脂に覆われているものが用いられている。
【発明の開示】
【発明が解決しようとする課題】
【０００３】  シリコン及びエポキシ樹脂は透湿性が有り、直接屋外での使用に当り劣化が早い。【０００４】  アルミナセラミックケース及びリードフレーム方式では反射効率良くない上、放熱効率が良くないため大量の電流を流せないので高輝度に出来ない。
【課題を解決しようとする手段】
【０００５】  本発明は図４、図５の如くシリコン及びエポキシ樹脂の代わりに低融点ガラスを用いる。
【０００６】  ケースは低融点ガラスを収めるに耐える、反射効率の良い物質及び構造を用いる。
【０００７】  電極には熱伝導率の良い金属を用いる。
【０００８】  放熱板を設ける。電極と放熱板の間の薄い絶縁層は絶縁が良く、熱伝導を良くするために熱伝導の良いアルミナセラミック粒子等を封止用ガラスに混ぜた物にする。
【発明の効果】
【０００９】  樹脂に比べて耐湿に優れる低融点ガラスを用いることによって屋外での使用に当り長寿命の発光が得られる。
【００１０】  放熱効果を良くする事によって、多くの電流を流せる又反射効率の良い構造のケースによって高輝度が得られる。
【００１１】  放熱板と電極を絶縁することによって、１個の放熱板上で多数のＬＥＤの直列接続が可能になる。
【発明を実施するための最良の形態】
【００１２】  本発明でフリップチップＬＥＤの場合は図４の如く構成されている。
不透明で反射率の良いセラミックで出来たケース１に電極４及び５を設け、さらに放熱板７を設ける。電極と放熱板の間に薄い絶縁層６を設ける。
これにフリップチップＬＥＤベアチップ３を接続し、低融点ガラス２を充填する。【００１３】  図５の如く、ワイヤーボンド形ＬＥＤチップの場合、金線１１で接続する。
さらに蛍光発色剤１２を設けることによって、青色ＬＥＤを効率の良い白色ＬＥＤに出来る。この形態は図４と互換性を保つ。
【実施例】
【００１４】  図４に於いてケース１が金属の場合は電極４及び５の間に絶縁層を設ける。【００１５】  図５に於いてケース８が透明、半透明或いは反射率の悪い場合、反射層９を設ける。
この層は反射率の良い金属メッキ又は金属板或いは耐熱性の金又は銀色塗料（セラミックを含む）で構成されている。【００１６】  図５に於いて電極１３は放熱板と電極が共用されている場合を示す。【００１７】  図３に於いてケースが円形を示すが電極構造によって長方形にする。【００１８】  図４及び５に於いて、直径を１〜２ｍｍにすることによって、高密度に放熱器に取り付けられるため、小型で高輝度の照明器。又小型のむらのない照明器を作れる
【産業上の利用可能性】
【００１９】  本発明により屋外の照明及び明るいディスプレー装置に利用される。即ち照明器として自動車、室内照明器及び外灯のランプとして利用される。ディスプレー装置として屋外広告塔等に利用される。
【図面の簡単な説明】
【００２０】
【図１】  従来のセラミックケースによるＬＥＤチップの断面図を示す。
【図２】  従来のリードフレームによるＬＥＤチップの断面図を示す。
【図３】  本発明の平面図を示す。
【図４】  本発明のフリップチップＬＥＤベアチップをＬＥＤチップにしたの断面図を示す。
【図５】  本発明のワイヤーボンドＬＥＤベアチップの場合及び白色ＬＥＤチップの断面図を示す。
【符号の説明】
【００２１】  １．本発明によるＬＥＤチップのケース
２．本発明によるＬＥＤチップの低融点ガラス
３．フリップチップＬＥＤベアチップ
４．本発明による電極
５．本発明による電極
６．本発明による薄い絶縁層
７．本発明による放熱板
８．本発明に於ける変形したケース
９．本発明による光の反射層
１０．ワイヤーボンド形ＬＥＤベアチップ
１１．本発明による金細線
１２．本発明による蛍光発色剤
１３．本発明による放熱板を兼ねた電極
１４．本発明による電極
１５．本発明による絶縁層
１６．本発明による熱伝導の良い接着剤
２０．従来のセラミックケース方式によるケース
２１．従来のシリコン又はエポキシ樹脂
２２．ＬＥＤベアチップ
２３．従来の電極
２４．従来の金細線
２５．従来のリードフレーム式ＬＥＤベアチップ
２６．従来のリードフレーム電極
２７．従来のエポキシ樹脂
２８．従来の金細線
【図１】
2006352052.tif 000003
【図２】
2006352052.tif 000004
【図３】
2006352052.tif 000005
【図４】
2006352052.tif 000006
【図５】
2006352052.tif 000007
(57)【要約】【課題】脇下で体温を測定する電子体温計が，脇下にフィットするようにする。【解決手段】電子体温計の全体が，脇の下の窪み部分にはめ込めるような大きさにし，かつ形状を円盤状もしくは楕円盤状にする。【選択図】図１
2006189408.tif 000002
【特許請求の範囲】
【請求項１】
人体の脇の下のくぼみ部分に，電子体温計全体がはめ込める大きさであって，電子体温計全体の形状が円盤状若しくはだ円盤状にしたことを特徴とする電子体温計。
【請求項２】
紐を取り付けるための穴を設けたことを特徴とする請求項１記載の電子体温計。
【請求項３】
前記穴に，反対側先端部に衣服等に着脱することが可能なクリップが設けられた紐を，取り付けたことを特徴とする請求項２記載の電子体温計。
【発明の詳細な説明】
【発明の詳細な説明】
【技術分野】
【０００１】本発明は新規な電子体温計に属する。
【発明の開示】
【発明が解決しようとする課題】
【０００２】従来の脇の下で図るタイプの電子体温計は，センサーが先端についている棒状の部分を脇下に挟んで使用する形態であり，液晶表示部分等が脇下からはみ出てしまう形状となっていた（例えば特許文献１，特許文献２）。そのため，被測定者が手を動かすなどした際，液晶表示部分が衣類等にぶつかるなどし，測定している部位が動いてしまうという問題点があった。また，体温計が安定していないため，体温計が動いた場合には，被測定者の脇の下が痛いという問題点があった。
【特許文献１】特開２００４−２１２３９０号公報（第１図）
【特許文献２】特開２００４−２６４２９７号公報（第１図）
【課題を解決するための手段】
【０００３】本発明では，電子体温計の本体全てが，脇の下に入る大きさにし，また，その形状を円盤状もしくは楕円盤状にした。
【発明の効果】
【０００４】本発明の電子体温計は，脇の下に嵌め込むことの可能な大きさのものであり，かつ，形状が円盤状もしくは楕円盤状にしているので，脇の下にフィットして，体温を測ることが可能になった。従来の電子体温計と異なり，被測定者が手などを多少動かしても，脇にフィットしているので，測定部位がずれて動いてしまうことも少ない。そのため，体温を測定しているときに，他の作業をすることも多少なら可能になる。また，体温計が衣服にぶつかるということもなくなったため，体温計のセンサー部分（従来の棒の先端）が脇の下で動いて，痛いということもなくなる。
【実施例】
【０００５】以下，本発明の実施の形態について図１を参考に，説明する。電子体温計の本体を，直径約３センチメートルから４センチメートルで，厚さ約１センチメートルから１．５センチメートルの円盤状の大きさにする。
その電子体温計には，センサー（１），液晶表示部（２），スイッチ（６）などの部分を設けておく。さらに，穴（３）を設けて，そこに紐を通すことを可能にする。そして，その穴に，反対先端部に衣服等に着脱することが可能なクリップ（５）をつけた紐（４）を取り付けておく。
穴（３）を側面に設ければ，図１のような実施例（実際例１）になり，中心部にもうければ図２のような実施例（実施例２）になる。
この体温計を用いて測定する際には，図３のように，クリップを衣服の襟などにつけて，本電子体温計を脇の下に嵌め込んで体温を測定する。このようにすれば，本電子体温計を落としてしまった場合でも，なくしてしまうこともない。
【図面の簡単な説明】
【０００６】
【図１】  本発明（実施例１）の斜視図である。
【図２】  本発明（実施例２）の斜視図である。
【図３】  本発明の使用方法の参考図である。
【符合の説明】
１  センサー
２  液晶表示部
３  穴
４  紐
５  クリップ
６  スイッチ
【図１】
2006189408.tif 000003
【図２】
2006189408.tif 000004
【図３】
2006189408.tif 000005
(57)【要約】【課題】  試薬を充填したピペットチップの液面、液量を管理することは、化学薬品分析には欠かせない技術であるが、従来ピペットチップはその液面等を見えるようにするため、透明な樹脂による成型品が多く、このためかえって正確な液面等を管理観察することが難しかった。これを解決する手段として、液面等に該当する部分に黒マジックインキ（登録商標）等を塗布し液面等を認識していた。【解決手段】  本発明は上記課題を達成するために、ピペットチップを容器の縦方向に二色成型（透明樹脂と非透明樹脂）して液面、液量の管理観察を容易にする。【選択図】  図１
2006189409.tif 000002
【特許請求の範囲】
【請求項１】
試薬を入れて化学分析等に用いるピペットチップにおいて、目視あるいはＣＣＤカメラ等でその試薬の液面の管理、観察、認識を容易にするために、ピペットチップ容器本体を透明樹脂と非透明樹脂（例えば黒）の二色の樹脂を容器本体の縦方向に線条に二色成型をしたことを特徴とするピペットチップ。
【請求項２】
ピペットチップの側面、あるいは外周部に該ピペットチップの液面観察位置を固定するための凸部あるいは凹部を設けたことを特徴とする請求項１記載のピペットチップ。
【発明の詳細な説明】
【技術分野】
【０００１】  本発明は、化学分析装置などに用いる試薬容器であるピペットチップに関するものである。
【背景技術】
【０００２】  従来から、化学分析装置などの試薬容器にはピペットチップが用いられているが、その試薬の液面、液量を観察、認識することは重要な管理項目であるにもかかわらず容易ではなかった。これは、試薬の液面、液量を観察、認識しやすいようにピペットチップ容器が透明樹脂で成型されていることがその原因のひとつと言える。【０００３】  しかも、この液面、液量の認識には観察者の目視のみならず、いわゆるＣＣＤカメラ等による自動認識装置も用いられており、時として得られたデータの信頼性にもかかわるものであった。
しかし、このような重要な管理項目であるにもかかわらず、この管理データの信頼性を上げるために行われていることは、当該ピペットチップ容器の液面、液量を観察する側の反対側に黒などの濃色のマジックインキ（登録商標、以下同じ）等を線条にマーキングし、観察を容易にする程度のことしかなかった。【０００４】  さらに、化学分析装置などに用いられるピペットチップは１本、２本などの少量ではなく多量であることが常で、そのピペットチップ容器１本１本にマーキングする作業は煩雑なものであった。【０００５】  従来のピペットチップでは透明樹脂でできているものが多く液量、液面を容易に認識することが出来なかった（既に知られているものとしての特許文献なし。）。
【発明の開示】
【発明が解決しようとする課題】
【０００６】  解決しようとする問題点は、背景技術で述べたように化学分析装置の重要な試薬容器でありながら、試薬液面、液量の認識手段としてマジックインキ等によるマーキングに頼り、本来の分析作業の業務を阻害していた。【０００７】  また、試薬の種類によってはマーキングを消してしまう等マーキングが適さなかったりあるいはマーキングできない容器等もあり、作業をさらに煩わしいものにしていた。
【課題を解決するための手段】
【０００８】  本発明は、上記課題を達成するために試薬容器として用いられるピペットチップを透明樹脂と非透明樹脂による二色成型品とし、非透明樹脂部分を容器の縦方向に成型することを採用し、これにより液量の多少にかかわらず液面、液量の確認を目視はもちろんＣＣＤカメラ等による認識も容易に可能となった。【０００９】  さらに本発明によるピペットチップの側面部分に該ピペットチップの回転防止、あるいは観察面の固定をするために、凸部あるいは凹部を設けることにより、さらに液面認識の精度を上げることが可能となる。
【発明の効果】
【００１０】  本発明によるピペットチップは上記の構造のとおりであり、プラスチックを成型する技術を使用、応用することが可能であることから、より安価にピペットチップを顧客に提供することが可能となった。【００１１】  また従来品は、その位置決めをする目印等がなく、分析機器にセットする際はピペットチップの方向を確認しながらセットしなくてはならず煩雑なものがあったが、本発明によればあらかじめ凸部あるいは凹部を側面部あるいは外周部に設けておくことにより分析機器に容易にセットできる。
【発明を実施するための最良の形態】
【００１２】  本発明を実施するための最良の形態を図１に基づき説明すると、例えばピペットチップ１に透明樹脂部分２と非透明樹脂部分３を同時に該ピペットチップに縦方向に成型一体化する。【００１３】  該ピペットチップの非透明部分を図２のように複数の線条に成型することも可能である。【００１４】  またピペットチップの側面あるいは外周部に凸形状あるいは凹形状の部分を設けて該ピペットチップの位置決めに利用することもできる。
【実施例１】
【００１５】  図１は、本発明による二色成型ピペットチップの斜視図である。
【実施例２】
【００１６】  図２は、図１と同じく本発明による二色成型ピペットチップで非透明樹脂部を複数（この例では３本）の線条としたものの斜視図である。
【産業上の利用可能性】
【００１７】  本発明のピペットチップは、従来から水質検査等に使われている化学分析器に用いられるピペットチップと同様の効果を得、さらに該ピペットチップに何らのマーキングを必要としないので、該ピペットチップ自体の取り扱い特に洗浄時にはマーキング等の色落ちに気遣うことがなくなることにより、より精度の高い分析結果が得られる。
【図面の簡単な説明】
【００１８】
【図１】本発明による二色成型ピペットチップの例の斜視図である。
【図２】本発明による二色成型ピペットチップの非透明樹脂部を複数にした例の斜視図である。
【図３】本発明による二色成型ピペットチップの側面に突起形状の位置決め形状を設けた例の斜視図である。
【図４】従来からあるピペットチップの斜視図である。
【符号の説明】
【００１９】１  二色成型ピペットチップ
２  二色成型ピペットチップの透明樹脂部
３  二色成型ピペットチップの非透明樹脂部
４  二色成型ピペットチップの突起形状の位置決め形状
【図１】
2006189409.tif 000003
【図２】
2006189409.tif 000004
【図３】
2006189409.tif 000005
【図４】
2006189409.tif 000006
(57)【要約】      （修正有）【課題】顕微鏡装置において、画像評価するための記録チャネルのうち、どのチャネルでデータ取得ができるかを読み取れる方法を提供する。【解決手段】少なくとも１つのチャネルについて上限値及び／又は下限値が設定できて、これらの限界値に達した場合には検出チャネルの作動態様に変化が現われ、また好ましいことに、検出チャネルが遮断され、又はその増幅が変更され、又は照明パラメータ変更のために光源への再連結がなされる、又は検出チャネルの信号が追加加工に於いては顧慮されないままであるという、複数検出チャネルにおける照明試料の光学的検出方法。【選択図】図１
2006189455.tif 000002
【特許請求の範囲】
【請求項１】
複数検出チャンネルにおける照明試料の光学的検出方法であって、少なくとも１つのチャンネルについて上限値及び下限値の少なくとも一つが設定できて、これらの限界値に達した場合には検出チャンネルの作動態様に変化が現われる、方法。
【請求項２】
前記検出チャンネルが遮断されることを特徴とする請求項１に記載の方法。
【発明の詳細な説明】
【技術分野】
【０００１】
レーザ走査型顕微鏡の場合、試料の照明及び励起に、様々な波長のレーザが使用され、試料から出る光も、照明及び試料の物質に依存して様々な波長を有している（蛍光）。試料から戻ってくる光は、画像描写の方法で測定され、評価される。
【背景技術】
【０００２】
ｎ基チャネル型システムの場合は、実際にはどのチャネルでデータ取得できるのかを確認するためには、すべてのチャネルを評価しなければならない。
顕微鏡装置では、通常、画像評価するための記録チャネルが２〜４基備えられている。どのチャネルで光が検出されるかの確認のためには、試料に対して、ｎ／４回の走査及びまた照明を行わねばならない。
【発明の開示】
【発明が解決しようとする課題】
【０００３】
この過程は労力を要し、時間のロスになるばかりか、レーザ光により試料に不必要な負荷をかけることになる。
【課題を解決するための手段】
【０００４】
ｎ基チャネル型検出システムＤの場合は、増幅器Ｖの後ろに、デジタル／アナログ変換器によって接続閾値の設定ができるｎ基の比較器Ｋ又はトリガ（各検出チャネルにつき１基）が設置されている。その閾値は、ノイズ指数を越えるように設定される。比較器の出力部は、それぞれ共通のクリア入力部Ｃと接続していてコンピュータで読み取ることのできるレジスタＲに繋がっている。測定前にはレジスタ（ｎ基、ビット単位）は元通りに戻される。
【０００５】
走査が実行されて、入力部に設定閾値を越える信号を持つに到った比較器は接続状態になる。例えば波長別に配置されたチャネルで、比較器の接続閾値を越える信号を送信しないものは評価上重要でなく、無視できるか又は総合信号と見なすことができる。
【０００６】
比較器がウィンドウ型比較器の形態を取るものであって、両接続閾値（上限及び下限）が（例えばデジタル／アナログ変換器を通じて）設定可能であれば、閾値内だけの信号と閾値外（閾値以下又は閾値以上）との信号に分けて評価することができる。走査後には既に、ｎ基のビット単位レジスタにより、ｎ基チャネルのうちの何れでデータ取得できるかを読み取ることができる。
【０００７】
検出器がスペクトル別に配置されている限り（配置態様は問われない）、レジスタが即座に検出光のスペクトル成分に関する情報を提供する。
この情報は、ｎ基チャネル型システムを正しく設定する上で重要な要素である。この情報によって、主観的ミスを犯すことなくすべてのチャネルを対応波長に適合させることができる。それにより、スペクトル記録についてシステム自動制御（オンライン）の可能性が生まれてくる。そればかりか、手動操作における最適選択（オフライン）のための指針も得られる。
【発明を実施するための最良の形態】
【０００８】
本発明に基づく方法の長所は次の諸点である：
・  ｎ基チャネル型検出システムの場合では、能動チャネルに関して即座に情報が得られる。
【０００９】
・  ｎ基検出チャネルがスペクトル対応の配置になっていれば、スペクトル成分に関する情報が即座に表示できる。
・  記録チャネルより数多くの検出チャネルが設置されていれば、データ存在位置の確認に度重なる走査は不要である。即ち試料負荷が小さい。
【００１０】
・  能動チャネルの把握により、システムが自動的に配置設定することができる。（能動チャネル及びフィルタの組合せにおける波長別の設定）
・  当システムはデータ所在チャネルをその波長と共に表示する。この情報によって、手動システム設定の場合のように操作者が時間をかけて試料記録する必要はなくなる。
【図面の簡単な説明】
【００１１】
【図１】接続原理を示す。
【図１】
2006189455.tif 000003
(57)【要約】【目的】顔形に適合させる事が従来よりも的確に出来ると共に同一の枠とツルの組合せで複数の顔形に適合させる。眼鏡の把持力を使用者の要求に合わせた把持力に設定する。度の強い遠近両用のレンズの場合に効果的な枠の角度を調整することにより、より適切な眼鏡とする。  更に経年変化により眼鏡自体の弾力が低下したり、変化する人の顔の幅にも適合できる構造を得る。【構成】枠１とツル５を、球２、Ａソケット３、Ｂソケット４、調整ねじ６、止めねじ７により一体化し球状ヒンジとした構造。そして調整ねじ６の締付力により球状ヒンジの回動抵抗を調整する。【選択図】    図１
2006189740.tif 000002
【特許請求の範囲】
【請求項１】
球（２）と半割れのＡソケット（３）、Ｂソケット（４）、調整ねじ（６）、止めねじ（７）又は球（１１）とフィンガーを持つソケット（１２）により構成された、球状ヒンジにより枠（１）とツル（５）又は枠（１０）とツル（１３）を連結した構造の眼鏡
【発明の詳細な説明】
【産業上の利用分野】
【０００１】  本発明は眼鏡の構造に関する。
【背景技術】
【０００２】一般的な眼鏡は人それぞれの顔形に合わせるよう努力して作られているが、眼鏡が完全に適合された寸法に製作される事は不可能に近い。それは鼻を中心にして左右の耳が完全にシンメトリーに配置されていない事が大きな要因である。  又経年変化により眼鏡自体の弾力が低下したり、人の顔も変化するのでメンテナンスが不可欠である。
【発明が解決しようとする課題】
【０００３】人の顔形に出来るだけ適合させる事が可能な眼鏡の構造とする。
【課題を解決するための手段】
【０００４】ツルを枠に対して上下左右に調整できるよう球状ヒンジ構造で連結する。
【作用】
【０００５】人の顔形やレンズの度に従来よりも適合した眼鏡を形成することが出来る。
【０００６】ツルと枠との相対位置の変更が可能なので同一品を調整により複数の人に適合させることが可能になる。
【実施例】
【０００７】図１において、１は枠、２は球、３はソケットＡ、４はソケットＢ、５はツル、６は調整ねじ、７は止めねじ、８はレンズである。球２にはロッド部２ａがあり枠１に接着等により一体化されている。Ａソケット３は半割れで切り欠き３ａ、ねじ孔３ｂ及び３ｃがある。Ｂソケット４は半割れで孔４ａ及び４ｂがある。ツル５には調整ねじ６及び止めねじ７を貫通させるための孔がある。【０００８】半割れのＡソケット３及びＢソケット４は、調整ねじ６及び止めねじ７により、ツル５と一体化されると共に球２を内蔵し球状ヒンジを形成する。そして調整ねじ６の締付力の調整により球状ヒンジの回動抵抗を調整する。圧縮されるツル５の材質の弾性係数を適切に選定することによりスムーズな回動抵抗が得られる。ツル５を折り曲げて格納する際にはＡソケット３の切り欠き３ａが球２のロッド部２ａを収納する。
【他の実施例】
【０００９】図３において、１０は枠、１１は球、１２はソケット、１３はツル、１４はレンズである。球１１にはロッド部１１ａがあり枠１０に接着等により一体化されている。ソケット１２には弾性を持ったフィンガー１２ａがあり、球１１を把持すると共にフィンガー１２ａの適切な弾力によりスムーズな回動抵抗が得られる。ソケットｌ２とツル１３は接着等により一体化されている。
【発明の効果】
【００１０】本発明は以上のように構成されているので、下記のような効果が得られる。
【００１１】眼鏡を支える鼻を中心にして左右の耳の位置が完全なシンメトリーで無くても球状ヒンジによりツルの位置を使用者に適合するよう上下左右の調整が出来る。例えば左眼と右眼の各各のツルの高さや左と右の間隔を変える事が可能となる。
【００１２】眼球の中心距離が同じならば複数の使用者に適合できるので同一の枠とツルの組合せでも複数の顔形に適合させる事ができる。その結果コストは低減される。
【００１３】遠近両用のレンズの場合には枠の角度を調整することにより、より適切な眼鏡とすることができる。特に度の強い場合には効果的である。
【００１４】
【図１】
の実施例では眼鏡の把持力が調整できるので使用者の要求に合わせた把持力を設定することができる。又、顔の幅が減少したりツルの経年変化による弾性の低下を補正するよう調整できるので、眼鏡の使用期間を長くすることができる。
【図面の簡単な説明】
【００１５】
【図１】眼鏡の右眼側の平面図
【図２】側面図
【図３】他の実施例の平面図
【符号の説明】
１枠        ２球      ３Ａソケット    ４Ｂソケット    ５ツル    ６調整ねじ  ７止めねじ  ８レンズ  １０枠    １１球    １２ソケット    １３ツル    １４レンズ
【図１】
2006189740.tif 000003
【図２】
2006189740.tif 000004
【図３】
2006189740.tif 000005
(57)【要約】【課題】  変速機において、入力軸が無回転の状態からでも、既に回転している出力軸にさらに加速させることができる機構を提供する。【解決手段】  遊星歯車、遊星歯車内のＡローラーとＢローラー、太陽歯車、内歯車を組み合わせる。遊星歯車内のＡローラーとＢローラー軸を入力軸盤穴に挿入し、入力軸盤と入力軸を直結する。内歯車を出力軸と直結する。  遊星歯車、遊星歯車内のＡローラーとＢローラー、ローラー軸の組み合わせを１セットとし、複数セットを太陽歯車と内歯車の間に組み込む。  このように構成した変速機により上記課題を解決する。【選択図】  図１
2006189141.tif 000002
【特許請求の範囲】
【請求項１】
遊星歯車、遊星歯車内のＡローラーとＢローラー、太陽歯車、内歯車、出力軸を組み合わせ、遊星歯車内のＡローラー軸とＢローラー軸、入力軸盤、入力軸を組み合わせて構成された変速機
【発明の詳細な説明】
【技術分野】
【０００１】  本発明は、入力軸が無回転の状態からでも、既に回転している出力軸にさらに加速させることができる機構に関するものである。
【背景技術】
【０００２】  従来の回転機器においては、既に回転している出力軸にさらに加速する際には、その時点における入力軸の回転数からさらに回転数を上げなければならない。
【発明の開示】
【発明が解決しようとする課題】
【０００３】  出力軸の回転数を上げようとするのであれば、その加速分の力だけが必要であるのに、従来の回転機器では入力軸の回転数を加速前の回転数まで上げるためのエネルギーを無駄に使用している。本発明は、入力側エネルギーの無駄を低減するために、入力軸が無回転の状態からでも既に回転している出力軸にさらに加速させることができる機構とした。
【課題を解決するための手段】
【０００４】  上記課題を解決するために、遊星歯車、遊星歯車内のＡローラーとＢローラー、太陽歯車、内歯車を組み合わせる。遊星歯車内のＡローラー軸とＢローラー軸を入力軸盤穴に挿入し、入力軸盤と入力軸を直結する。内歯車を出力軸と直結する。
遊星歯車、遊星歯車内のＡローラーとＢローラー、ローラー軸の組み合わせを１セットとし、複数セットを太陽歯車と内歯車の間に組み込む。
【発明の効果】
【０００５】  本発明は、出力軸を加速させるための入力軸のエネルギーを低減させることができる。
【発明を実施するため最良の形態】
【０００６】  本発明の実施の形態について図面を参照にして説明すると、図１において太陽歯車１と内歯車３の間に遊星歯車２を組み込む。遊星歯車２の内にＡローラー４とＢローラー５を組み込む。
Ａローラー４は太陽歯車１と遊星歯車２が接する方向に寄せて組み合わせる。Ｂローラー５はＡローラー４から反時計回り９０度の位置に組み合わせる。この組み合わせを１セットとし、複数セットを太陽歯車１と内歯車３の間に組み込む。
図２において、一つのセットである遊星歯車部分の詳細を示す。Ａローラー４はＡローラー軸６により入力軸盤９と連結されている。Ａローラー軸６はクランク形態で２軸で構成されている。Ｂローラー５はＢローラー軸７により入力軸盤９と連結されている。
図３において、各部品が組み合わされた状態の断面図を示す。内歯車３と出力軸１０は直結されている。
【実施例１】
【０００７】  本発明は、以上説明したように構成されているので、以下に記載している効果を奏する。
出力軸が無回転の状態において、入力軸を左回転させると各歯車が噛み合っているので内歯車は左回転する。次に入力軸の回転を停止させるとＢローラーにより遊星歯車が公転を停止し自転する。惰性で内歯車が左回転していると遊星歯車が左回転し、太陽歯車は右回転する。この状態から入力軸を左回転させると、遊星歯車は左回転に自転しながら左回転方向に公転するので内歯車の左回転数が上がる。
上記のとおり、入力軸が無回転の状態からでも、既に回転している内歯車が加速されるので連結されている出力軸を加速させることができる。
【実施例２】
【０００８】  実施例１では入力軸を左回転させる例をあげたが、右回転させる場合においても出力軸への加速効果を奏する。この場合はＢローラーの位置を１８０度変えて設置する。
【実施例３】
【０００９】  実施例１では、Ａローラー４を太陽歯車１と遊星歯車２が接する方向に寄せて組み合わせたが、Ａローラー４を内歯車３と遊星歯車２が接する方向に寄せて組み合わせて、またＡローラー軸６の入力軸盤側の軸をＡローラー４より外周側に設置することにより太陽歯車１を出力軸とすることができる。
【産業上の利用の可能性】
【００１０】  本発明は、入力軸が無回転の状態からでも、既に回転している出力軸にさらに加速させることができるので、入力軸の回転数を加速前の回転数まで上げるためのエネルギーの無駄を低減させることができる。
従って、加速することが必要な回転機器に使用することでエネルギーの無駄を低減することができる。
【図面の簡単な説明】
【００１１】
【図１】  遊星歯車、遊星歯車内のＡローラーとＢローラー、太陽歯車、内歯車を組み合わせた状態を示す正面図である。
【図２】  一つの遊星歯車の部分の詳細を示す。ＡローラーはＡローラー軸により入力軸盤と連結されている。ＢローラーはＢローラー軸により入力軸盤と連結されている。
【図３】  遊星歯車、遊星歯車内のＡローラーとＢローラー、ローラー軸、入力軸盤、入力軸、太陽歯車、内歯車、出力軸を組み合わせた状態を示す断面図である。
【符号の説明】
【００１２】１は太陽歯車である。
２は遊星歯車である。
３は内歯車である。
４はＡローラーである。
５はＢローラーである。
６はＡローラー軸である。
７はＢローラー軸である。
８は入力軸である。
９は入力軸盤である。
１０は出力軸である。
【図１】
2006189141.tif 000003
【図２】
2006189141.tif 000004
【図３】
2006189141.tif 000005
(57)【要約】【課題】天井面に対し垂直に風を降ろすことが出来、照明と一体となった小型、軽量、取り扱いやすいサーキュレーターを実現する。。【解決手段】本発明は、薄型箱状の本体とこの本体内部に設けられ回転軸方向が前記本体の軸方向に一致し、吸入口が本体底面になるとともにファン吹き出し口が本体正面になるように位置させられたケースファンの吹き出し口中央部（モーター部）の無風領域（図３に示す）に照明器具や、スイッチ等を配し、このファンと照明器具が一体となったユニットを引っ掛けシーリングを活用してペンダント式の照明器具のように吊すことが出来ることを主要な特徴とする。 【選択図】図１2006189182.tif 000003
2006189182.tif 000002
【特許請求の範囲】
【請求項１】
ケースファンを用いた循環送風機の吹き出し口側中央部にある無風領域（図３に示す）にライトやスイッチ、ライト付きスイッチを配したサーキュレーター
【発明の詳細な説明】
【技術分野】
【０００１】
本発明は、天井面に設けられた引っ掛けシーリングに、循環送風機をコードでつり下げ、この送風機中央部にある無風領域にスイッチや、ライト、スイッチ付ライトを配したサーキュレーターに関するものである。
【背景技術】
【０００２】
エアコンによる冷暖房時に室内の上の空気と下の空気の温度差が１０℃位あり、室内空気のの循環により冷暖房時の温度ムラを解消する装置として、据え置き型が実用に供されている。
据え置き型は、下の空気を送風により上に送りその圧力で上の暖かい空気を下に降ろすことが出来る。しかし、下の冷たい空気を重力に逆らって上に送るため、動力が大きくなるとともに、ファンが間近にあるため騒音の問題が発生する。また置き場所も必要である
ｆf
【０００３】
また天井にファンを固定したり、吊り下げる方法が実用に供されている。シーリングファンは１メートルものファンを回転させる方法である。大きなファンをゆっくり回すと騒音が無く、送風感も無いが、大きすぎて、汎用性に乏しい。天井に穴を開け、ファンを固定する方法も実用化されているが、電気工事士などの資格を有するものでないと施行できない問題がある。
【０００４】
空気清浄機などと一体化する提案が多くなされているが、ほとんど実用化されていない。
特開昭６３−２４１３１２、特開２００２−１３０１８６、特開Ｈ１０−３１１５７３
特開Ｈ１１−１６２２４９、特開２００２−１７４４４４，特開Ｈ０９−２８２９３４
これらは、空気清浄機やライトと一体化するため、吹き出し方向を天井と平行に設ける必要がある。水平方向吹き出しは、真下に吹き出すのに比べて効率が悪く、一度壁に当てて下に降ろすため、風速が弱いと床まで届かない。また一方向だけの吹き出しでは部屋の半分にしか効果が無く、二方向以上に、分散して吹き出すためモーター容量を小さくできない。
【発明の開示】
【発明が解決しようとする課題】
【０００５】
解決しようとする問題点は、照明器具やスイッチなどをファンに接して真下に配すると風向きを天井面に対して水平にして照明器具との干渉をさけなければならなかった。
【課題を解決するための手段】
【０００６】
本発明は、薄型箱状の本体とこの本体内部に設けられ回転軸方向が前記本体の軸方向に一致し、吸入口が本体底面になるとともにファン吹き出し口が本体正面になるように位置させられたケースファンの吹き出し口中央部（モーター部）の無風領域（図３に示す）に照明器具や、スイッチ等を配し、このファンと照明器具が一体となったユニットを引っ掛けシーリングを活用してペンダント式の照明器具のように吊すことが出来ることを主要な特徴とする。
【発明の効果】
【０００７】
本発明のサーキュレーターは簡単に取り付け取り外しが出来、真下に効率よく微風と光を送ることができ、プルスイッチにより照明器具の操作と同じ感覚で照明、ファンの入り切りが出来る。
【発明を実施するための最良の形態】
【０００８】
ファンによる循環風と心地よい光を同時に、もっともコンパクトとな形で実現することができた。
【実施例１】
【０００９】
図１は、本発明装置の１実施例の断面図である。
【００１０】
ファン４は両側のファン固定金具とフインガード６とともに吊り下げ金具３に固定されている。吊り下げ金具の中央部でコードがコード止めで固定されコードの先は引っ掛けシーリングキャップにつながる。ファンの反対側は照明器具が固定されている。照明器具にはプルスイッチが付いている。
【００１１】
高さ２．７ｍ、１０ｍ２の部屋で天井面に水平に吹き出した場合、遠心ファンの外形２３センチ、厚さ４．２センチ、２３ｗ程度の機種が必要であるが、本発明のように構成し真下に風を送ると、ケースファンは１２センチ角厚さ３．５センチ９Wで同等以上の働きをします。エアコン暖房時１０℃以上の上下温度差を３℃以下に抑えることができる。
（床上７０センチと２００センチで比較）
【産業上の利用可能性】
【００１２】
天井付近に取り付けたエアコンで冷暖房をする限り、室内空気の循環を促す補助具は不可欠である。従来は取り付けに工事が必要であったり、使用時に取り出し不使用時にかたづける必要であったり、騒音が気になったりで、ほとんど普及していない。本発明は簡単に室内空気の循環を実現するとともにファンを停止している時にも照明としても使える。
【図面の簡単な説明】
【００１３】
【図１】ファンライトの実施方法を示した説明図である。（実施例１）
【図２】ファンライトの分解斜視図である
【図３】ケースファンの風速特性を示す図である。単位は風速はｍ／ｓ、長さはセンチメートルである。０の数字は風速ゼロメートルを示す。この無風量領域とこれに隣接する超微風領域を活用する。
【符号の説明】
【００１４】
１    引っ掛けシーリングキャップ
２    コード
３    吊り下げ金具
４    ケースファン
５    ファン固定金具
６    フインガード
７    照明器具
８    プルスイッチ用ひも
【図１】
2006189182.tif 000004
【図２】
2006189182.tif 000005
【図３】
2006189182.tif 000006
(57)【要約】  【課題】  器具の上下逆取付を防止する。  【解決手段】  金属製の略コ字状の壁面取付板１に空気清浄器、イオン発生器、照明器具その他の器具２を取り付ける装置である。そして、壁面取付板１の一対の側板３、４の先端部形状を異ならせるとともに、器具２の背面に設けられ前記先端部が各々位置決めされる一対の位置決め凹部５、６の形状を異ならせ、器具２を上下逆取付不可能としている。さらに述べると、一方の側板４の先端部付近の上側(または下側でもよい)にのみ切り欠き７を形成し、これに対応して器具２の背面に設けた一方の位置決め凹部６の幅を他方の位置決め凹部５の幅より小さくしている。【選択図】  図１
2006189083.tif 000002
【特許請求の範囲】
【請求項１】
略コ字状の壁面取付板に器具を取り付ける装置であって、壁面取付板の一対の側板の先端部形状を異ならせるとともに、器具の背面に設けられ前記先端部が各々位置決めされる一対の位置決め凹部の形状を異ならせ、器具を上下逆取付不可能とした器具取付装置。
【請求項２】
請求項１において、一方の側板の先端部付近の上側(または下側)にのみ切り欠きを形成し、これに対応して器具の背面に設けた一方の位置決め凹部の幅を他方の位置決め凹部の幅より小さくした器具取付装置。
【発明の詳細な説明】
【技術分野】
【０００１】
本発明は、空気清浄器、イオン発生器、照明器具その他の器具取付装置に関する。
【背景技術】
【０００２】
空気清浄器やイオン発生器は通常、床面において使用される。また、天井に設置される例としては特許文献１で開示される照明器具と空気清浄器の複合製品がある。
【特許文献１】実開平６−７７１１３号公報
【発明の開示】
【発明が解決しようとする課題】
【０００３】
しかし、空気清浄器、イオン発生器、照明器具その他を壁面に設置する場合、設置方向が上下逆になると不具合が生じるケースがある。たとえば、水を使用するイオン発生器では上下逆に設置されると水がこぼれたり、イオン発生電極に水が供給されなかったりするし、照明器具では配光が不具合になる。本発明はこのような解決すべき課題を鑑み、器具の上下逆取付を防止することを目的とする。
【課題を解決するための手段】
【０００４】
本発明を要約すると、略コ字状の壁面取付板に器具を取り付ける装置であって、壁面取付板の一対の側板の先端部形状を異ならせるとともに、器具の背面に設けられ前記先端部が各々位置決めされる一対の位置決め凹部の形状を異ならせ、器具を上下逆取付不可能とした器具取付装置である。
【発明の効果】
【０００５】
本発明によれば、壁面取付板の一対の側板の先端部形状を異ならせるとともに、器具の背面に設けられ前記先端部が各々位置決めされる一対の位置決め凹部の形状を異ならせたため、簡単な手段で器具を上下逆取付不可能とできる。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図示の実施形態は、金属製の略コ字状の壁面取付板１に空気清浄器、イオン発生器、照明器具その他の器具２を取り付ける装置である。そして、壁面取付板１の一対の側板３、４の先端部形状を異ならせるとともに、器具２の背面に設けられ前記先端部が各々位置決めされる一対の位置決め凹部５、６の形状を異ならせ、器具２を上下逆取付不可能としている。さらに述べると、一方の側板４の先端部付近の上側(または下側でもよい)にのみ切り欠き７を形成し、これに対応して器具２の背面に設けた一方の位置決め凹部６の幅を他方の位置決め凹部５の幅より小さくしている。
【０００８】
さらに詳述すれば、壁面取付板１は木ねじ８などで壁面に固定され、壁面取付板１の側板３、４の前端に固定したねじ棒９、９に袋ナット１０、１０を各々螺合して器具２が壁面に取り付けられる。なお、ねじ棒９に袋ナット１０を螺合する際は器具２の表面側カバー１１を外した状態で行う。そして、器具２の内部構造は図の複雑化を避けるため図示省略してあるが、特段説明する必要はないものである。
【０００９】
器具２の壁面取付板１への取り付けは、器具２の背面を壁面取付板１のねじ棒９、９に向けて送りこむ。そうすると、切り欠き７のある側板４の先端部付近は器具２の位置決め凹部６に嵌まり、側板３の先端部付近は器具２の位置決め凹部５に嵌まる。そして、ねじ棒９、９は器具２の背面から貫通されるため、その先端に袋ナット１０、１０を螺合すればよい。また、器具２を上下逆に取り付けようとすると、幅の大きい側板３の先端部付近は幅の小さい位置決め凹部６に嵌まらないため、簡単に上下逆取付を防止できる。
【００１０】
本実施形態によれば、壁面取付板１の一対の側板３、４の先端部形状を異ならせるとともに、器具２の背面に設けられ前記先端部が各々位置決めされる一対の位置決め凹部５、６の形状を異ならせたため、簡単な手段で器具２を上下逆取付不可能とできる。
【図面の簡単な説明】
【００１１】
【図１】本発明の実施形態を示す分解斜視図
【図２】同壁面取付板の斜視図
【図３】同器具の背面図
【図４】同要部背面側の分解斜視図
【図５】同分解時横断面図
【符号の説明】
【００１２】
１  壁面取付板
２  器具
３、４  側板
５、６  位置決め凹部
７  切り欠き
【図１】
2006189083.tif 000003
【図２】
2006189083.tif 000004
【図３】
2006189083.tif 000005
【図４】
2006189083.tif 000006
【図５】
2006189083.tif 000007
(57)【要約】      （修正有）【課題】地球引力を利用して電気を創出する回転動力機の提供。【解決手段】円盤体の側面にピストン体・シリンダー体からなる期り体多数個を放射状に取り付け、円盤体の回転により右側では、重り体がその自重で支棒４を押圧押し倒して支棒で外方に突き出され、左側では同じく重り体はその自重で支棒により内方に引き戻される。このようにして重り体の左右均衡をくずすことで円盤体は永続回転する。【選択図】図１
2006189020.tif 000002
【特許請求の範囲】
【請求項１】
円盤体（１）の側面にピストン体（２）・シリンダー体（３）の重り体多数個を放射状に取り付け、円盤体の回転によりピストンは振幅、シリンダー往腹運動を繰りかえす。即ち右側においては重り体はその自重で支棒（４）を押圧支棒で重り体は外方に突き出され左側では同じく重り体はその自重で支棒により内方に引き戻される。  このように円盤体の重り体が右側に重く、左側では引力が減殺され、円盤体が永続回転する回転動力機
【発明の詳細な説明】
【技術分野】
【０００１】  本発明は、発電エネルギー源を地球の引力を利用して創出しようとするものである。［技術背景］【０００２】  従来の発電は、火力・水力・原子力を主力としてきたが、近年ではその環境に及ぼす悪影響、立地の困難等からクリーンエネルギー源として風力・太陽光・地熱等が見直され、未だ微力ながら次第に世の認知が深まり確実にその地歩を固めつつある。［発明の開示］［発明が解決しようとする課題］【０００３】  上述のような観点から本発明は、地球の引力をエネルギー源として利用することによって最もクリーンにして低コストの発電を行なおうとするものである。［課題を解決するための手段］【０００４】  本発明は円盤（１）の側面にピストン（２）・シリンダー（３）状の重り体多数個を放射状に取り付け、円盤体の回転によりシリンダー往複、ピストン振幅運動を行なうものとする。［発明の効果）【０００５】  風力・太陽光発電等と同じくクリーン発電エネルギー源として、その原資はいつでも・どこでも無料・無限の地球引力を用いることで設備費・維持費にも多くを要しない有益発明を提供する。［発明を実施するための最良の形態）【０００６】  天秤の平衡に見る如く、片方の重りに加力又は減殺を行なえば片方が動き出す原理を応用し、即ち円盤体の回転によりピストンの振幅、シリンダーの往腹運動で重り体は、右側においてはその自重で支棒（４）を押圧し右端先に移動、左側では同じく重り体の自重で支棒が重り体を内方に引き戻す。このようにして左右重り体の位置の変化で引力の左右均衡がくずれ円盤体は永続回転する。［産業上の利用可能性］【０００７】  大気汚染の浄化、地球温暖化の防止に期待が寄せられる風力・太陽光発電等の後塵に位置しつつ微力ながらも期待の一端に応えることができる。即ち本発明は自然現象の地球引力の活用で、いつでも、どこでも、誰でも無料無限の引力から創出される電気は産業上・又クリンエネルギー源として人類生存の上からも極めて有益である。【０００８】  本発明は、単機では期待される電気を生み出すことはできない。原動回転力を強めるためには本回転機多数個を心軸で連結し、又は大型化・重量化し、あるいは磁石・バネ等の特性を組合わせ回転力を強化し、さらには究極の目標として無限の引力を昼夜間断なき稼働で得た剰余電気をバッテリー蓄積し、その電気をベルト利用で本回転機に用いることで引力を援用し自給自足の態勢をつくりあげるものとする。
【図面の簡単な説明】
【０００９】
【図１】本発明の概略側面図
【図２】図面支軸（５）（６）の着装拡大図
【符号の説明】
【００１０】１．円盤体２．ピストン体３．シリンダー体４．支棒５．支軸６．支軸７．振幅枠８．支軸９．心軸
【図１】
2006189020.tif 000003
【図２】
2006189020.tif 000004
【手続補正書】
【提出日】平成17年3月29日(2005.3.29)
【手続補正２】
【補正対象書類名】図面
【補正対象項目名】図１
【補正方法】変更
【補正の内容】
【図１】
2006189020.tif 000005